(57)【要約】【課題】回動可能なガイド部材と一体に回動する第２ローラを第１ローラに対して位置決めできる手段を提供する。【解決手段】複合機１０は、搬送路６５及びガイドレール５６を有する筐体１４と、シートを挟持して搬送路６５を搬送させる搬送ローラ６０及びピンチローラ６１と、搬送路６５の一部を規定する第１位置及び搬送路６５を開放する第２位置に回動可能な外側ガイド部材１８と、外側ガイド部材１８に連結されピンチローラ６１を支持するローラホルダ８５とを備える。ローラホルダ８５に、ピンチローラ６１を搬送ローラ６０側へ付勢するコイルばね７３と、ガイドレール５６と係合可能な係合部材７４とが設けられている。ローラホルダ８５は、外側ガイド部材１８が第１位置のときに係合部材７４がガイドレール５６と係合することで、ピンチローラ６１をコイルばね７３の付勢力によって搬送ローラ６０と当接させる位置に位置決めされる。【選択図】図２
2020168872.tif 000002
【特許請求の範囲】
【請求項１】
開口または凹部を有するフレーム及び搬送路を有する筐体と、
上記搬送路を搬送されるシートに画像を記録する記録部と、
上記搬送路に配置された第１ローラと、
上記第１ローラと対向して配置された第２ローラと、
上記第２ローラを支持するローラホルダと、
上記筐体の外面の一部を構成しており、且つ、上記ローラホルダが回動可能に連結されており、上記ローラホルダを上記搬送路に位置させる第１位置、及び上記ローラホルダを上記搬送路から退避させ、上記第２ローラを上記第１ローラから離間させる第２位置に回動可能な回動部材と、
上記ローラホルダに当接した状態で設けられたばねと、
上記ローラホルダに設けられた突起と、を具備しており、
上記記録部は、上記第１ローラ及び上記第２ローラによって挟持されており上記記録部と間隔を空けた位置にあるシートに対してインク滴を吐出することによりシートに画像を記録するものであり、
上記回動部材が上記第１位置にあるときに、上記突起が上記フレームの上記開口または上記凹部と当接し、
上記回動部材が上記第１位置にあるときに、上記ローラホルダは、上記第２ローラと上記第１ローラとが当接する第３位置に上記ばねの付勢力によって位置決めされており、
上記回動部材の上記第２位置から上記第１位置に向けての回動において、上記ローラホルダは、回動先端側が上記第３位置にある当該ローラホルダの回動先端側よりも上記回動部材の回動軸に近い位置に回動した状態であり、上記突起は、上記フレームに当接しつつ上記筐体の内部の方へ進入する画像記録装置。
【請求項２】
上記ローラホルダは、上記突起を有する部材を上記フレームの上記開口または上記凹部と当接する当接位置と、上記フレームの上記開口または上記凹部と当接しない退避位置とに移動可能に支持しており、
上記ばねは、上記ローラホルダと上記部材との間に介設されて上記部材を上記当接位置へ付勢するものである請求項１に記載の画像記録装置。
【請求項３】
上記フレームは、上記記録部を支持する請求項１または２に記載の画像記録装置。
【請求項４】
上記フレームは、上記記録部と当接する第１当接面と、当該第１当接面と反対側であって、上記突起と当接する第２当接面と、を有する請求項１から３のいずれかに記載の画像記録装置。
【請求項５】
上記第１ローラは、上記フレームに連結された連結フレームに支持されている請求項１から４のいずれかに記載の画像記録装置。
【請求項６】
上記ローラホルダは、上記回動部材が上記第２位置にあるときに上記回動部材の回動軌跡に対して径方向の外側へ延出する第４位置に回動可能である請求項１から５のいずれかに記載の画像記録装置。
【請求項７】
上記回動部材は、上記フレームに当接することによって上記第１位置に位置決めされている請求項１から６のいずれかに記載の画像記録装置。
【請求項８】
上記ローラホルダは、複数の上記第２ローラを上記第１ローラの軸方向に離間して支持するものである請求項１から７のいずれかに記載の画像記録装置。
【請求項９】
上記第２ローラの軸線は、上記回動部材が上記第１位置にあるときに、上記第１ローラの軸線より上記搬送向きの下流側に位置する請求項１から８のいずれかに記載の画像記録装置。
【発明の詳細な説明】
【技術分野】
【０００１】
本発明は、搬送路に沿ってシートを搬送して画像記録を行う画像記録装置に関する。
【背景技術】
【０００２】
装置筐体の内部に搬送経路が設けられており、搬送経路に沿って搬送されるシートに画像を記録する画像記録装置が知られている。装置筐体には、メンテナンスや搬送路における紙詰まりなどを解消するために、ユーザが搬送路にアクセス可能な開口が形成されており、当該開口がカバーにより開閉可能となっている。また、カバーの開放に連動して、搬送ローラ対のニップが解除される構成が公知である（特許文献１）。
【先行技術文献】
【特許文献】
【０００３】
【特許文献１】特開２０１３−１８４７５４号公報
【発明の概要】
【発明が解決しようとする課題】
【０００４】
搬送ローラ対のニップ位置は、シートを搬送する向きや搬送距離に影響するので、正確に位置決めされることが望ましい。しかし、前述されたように、カバーの開放に連動して搬送ローラ対のニップが解除される構成では、カバーを閉じたときの搬送ローラ対のニップ位置が不安定となり、シートを搬送する向きや搬送距離が不安定になるという問題があった。
【０００５】
本発明は、上記問題に鑑みてなされたものであり、その目的は、ガイド部材の開放に連動して第１ローラと第２ローラとが離間され、かつガイド部材が閉じられたときに第２ローラが第１ローラに対して正確に位置決めできる手段を提供することにある。
【課題を解決するための手段】
【０００６】
(1)  本発明に係る画像記録装置は、搬送路及びフレームを有する筐体と、上記搬送路を搬送されるシートに画像を記録する記録部と、上記搬送路において上記記録部より上記搬送向きの上流側に配置された第１ローラと、上記第１ローラと対向して配置された第２ローラと、上記記録部より搬送向きの上流側に配置されており、上記搬送路の一部を規定する第１位置、及び上記搬送路を開放する第２位置に回動可能なガイド部材と、上記ガイド部材に連結されており、上記第２ローラを支持するローラホルダと、上記ローラホルダに設けられており、上記第２ローラを上記第１ローラ側へ付勢する付勢部材と、上記ローラホルダに設けられており、上記フレームと係合可能な係合部材と、を具備する。上記ローラホルダは、上記ガイド部材が上記第１位置にあるときに上記係合部材が上記フレームと係合することによって、上記第２ローラを上記付勢部材の付勢力によって上記第１ローラと当接させる第３位置に位置決めされる。
【０００７】
ガイド部材が第２位置であるときに、搬送路が開放されると共に、第２ローラが第１ローラから離間される。ガイド部材が第１位置であるときに、係合部材がフレームと係合してローラホルダが第３位置に位置決めされる。ローラホルダが第３位置であるときに、第２ローラは付勢部材に付勢されて第１ローラと当接する。
【０００８】
(2)  好ましくは、上記フレームは、上記記録部を支持する。
【０００９】
これにより、記録部に対して第１ローラと第２ローラとのニップ位置を正確に位置決めできる。
【００１０】
(3)  好ましくは、上記フレームは、上記記録部と当接する第１当接面と、当該第１当接面と反対側であって、上記係合部材と当接する第２当接面と、を有する。
【００１１】
(4)  好ましくは、上記第１ローラは、上記フレームに連結された連結フレームに支持されている。
【００１２】
これにより、第１ローラと第２ローラとの相対的な位置関係が一層正確となる。
【００１３】
(5)  好ましくは、上記ローラホルダは、上記ガイド部材に回動可能に連結されており、上記ガイド部材が上記第２位置にあるときに上記ガイド部材の回動軌跡に対して径方向の外側へ延出する第４位置に回動可能である。
【００１４】
ローラホルダが第４位置であるときに、ガイド部材が開放する搬送路へのアクセス経路が広くなる。
【００１５】
(6)  好ましくは、上記ガイド部材は、上記フレームに当接することによって上記第１位置に位置決めされる。
【００１６】
これにより、ガイド部材が第１位置に正確に位置決めされる。
【００１７】
(7)  好ましくは、上記フレームは、上記ガイド部材が上記第１位置において、上記係合部材と係合する開口を有する。
【００１８】
(8)  好ましくは、上記ローラホルダは、複数の上記第２ローラを上記第１ローラの軸方向に離間して支持する。
【００１９】
(9)  好ましくは、上記ローラホルダは、上記係合部材を上記フレームと係合する係合位置と、上記フレームと係合しない退避位置とに移動可能に支持しており、上記付勢部材は、上記ローラホルダと上記係合部材との間に介設されて上記係合部材を上記係合位置へ付勢するものである。
【００２０】
(10)  好ましくは、上記第２ローラの軸線は、上記ガイド部材が上記第１位置にあるときに、上記第１ローラの軸線より上記搬送向きの下流側に位置する。
【００２１】
これにより、ガイド部材を第１位置に位置決めさせ且つローラホルダを第３位置に位置決めさせる付勢力を発生させることができる。
【発明の効果】
【００２２】
本発明によれば、ガイド部材の開放に連動して第１ローラと第２ローラとが離間され、かつガイド部材が閉じられたときに第２ローラが第１ローラに対して正確に位置決めされる。
【図面の簡単な説明】
【００２３】
【図１】図１は、本発明の実施形態の一例である複合機１０の斜視図である。
【図２】図２は、外側ガイド部材１８が第１位置且つローラホルダ８５が第３位置のときのプリンタ部１１の内部構造を示す縦断面図である。
【図３】図３は、図２におけるローラホルダ８５周辺の拡大図である。
【図４】図４は、図２よりも外側ガイド部材１８が第２位置側にあるときのプリンタ部１１の内部構造を示す縦断面図である。
【図５】図５は、図４よりも外側ガイド部材１８が第２位置側にあるときのプリンタ部１１の内部構造を示す縦断面図である。
【図６】図６は、外側ガイド部材１８が第２位置且つローラホルダ８５が第４位置のときのプリンタ部１１の内部構造を示す縦断面図である。
【図７】図７は、プリンタ部１１の後側の斜視図である。
【発明を実施するための形態】
【００２４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２５】
［複合機１０の全体構造］
図１に示されるように、複合機１０は、概ね直方体形状の外観の筐体１４を備えている。複合機１０は、ファクシミリ機能及びプリント機能などの各種の機能を有している。
【００２６】
筐体１４の上部にスキャナ部１２が設けられている。スキャナ部１２は、所謂フラットベッドスキャナとして構成されているが、ここでは、スキャナ部１２の内部構成の詳細な説明は省略される。
【００２７】
筐体１４の下部にプリンタ部１１（本発明の画像記録装置の一例）が設けられている。
プリンタ部１１は、インクジェット方式で記録用紙に画像を記録するプリント機能を有している。筐体１４の内部に、ベースフレーム８３、一対のサイドフレーム５５、ガイドレール５６、５７、給送トレイ２０、給送部１６、搬送路６５、記録部２４、各ローラ対５９、４４、各ガイド部材１８、１９、３１、ローラホルダ８５、及び当接部材４１などが配置されている。
【００２８】
［フレーム］
図７に示されるように、筐体１４内には、少なくとも３種類のフレーム（ベースフレーム８３、一対のサイドフレーム５５、及びガイドレール５６、５７）が配置されている。
【００２９】
ベースフレーム８３は、プリンタ部１１の下部の骨格を形成する樹脂製のフレームである。一対のサイドフレーム５５（本発明の連結フレームの一例）は、左右方向９に間隔を空けて配置されている。サイドフレーム５５は、金属製のフレームである。サイドフレーム５５は、搬送路６５の右方及び左方に配置されている。サイドフレーム５５は、ベースフレーム８３に支持されている。サイドフレーム５５は、ビスなどによってベースフレーム８３に固定されている。
【００３０】
ガイドレール５６、５７は、前後方向８に間隔を空けて配置されている。ガイドレール５６は本発明のフレームの一例である。ガイドレール５６、５７は、金属製のフレームである。ガイドレール５６、５７は、一対のサイドフレーム５５に支持されている。ガイドレール５６、５７に形成された開口６８に、サイドフレーム５５に形成された突部６９が挿入されている。これにより、サイドフレーム５５は、ガイドレール５６、５７と連結されている。なお、サイドフレーム５５とガイドレール５６、５７とは、上記以外の方法、例えばビスによる固定によって互いに連結されていてもよい。ガイドレール５６、５７については、後に更に詳細に説明される。
【００３１】
［給送トレイ２０］
図１に示されるように、プリンタ部１１の正面には、開口１３が形成されている。給送トレイ２０が、前後方向８に沿って、開口１３を介してプリンタ部１１に挿入及び脱抜可能である。給送トレイ２０は、プリンタ部１１に挿入された状態において、筐体１４の下側（底部側）に配置されている。給送トレイ２０は、上側が開放された箱形状の部材である。給送トレイ２０の底板２２（図２参照）には、記録用紙が重ねられた状態で支持される。
【００３２】
給送トレイ２０の前側には、排出トレイ２１が支持されている。排出トレイ２１は、給送トレイ２０と一体に前後方向８に移動する。排出トレイ２１の上面には、記録部２４によって画像を記録された記録用紙が排出される。
【００３３】
［給送部１６］
図２に示されるように、給送部１６は、プリンタ部１１に挿入された状態の給送トレイ２０の上方であって記録部２４の下方に設けられている。給送部１６は、給送ローラ２５、給送アーム２６、及び駆動伝達機構２７を備えている。給送ローラ２５は、給送アーム２６の先端部で軸支されている。給送アーム２６は、基端部に設けられた支軸２８を中心として、矢印２９の方向に回動する。これにより、給送ローラ２５は、給送トレイ２０または当該給送トレイ２０に支持された記録用紙に対して、当接及び離間が可能である。
【００３４】
給送ローラ２５は、複数のギヤが噛合されてなる駆動伝達機構２７によって、モータ７８（図７参照）の駆動力が伝達されて回転する。これにより、底板２２に支持された記録用紙のうち、給送ローラ２５と当接している最も上側の記録用紙が、搬送路６５に沿って給送される。
【００３５】
なお、給送ローラ２５は、モータ７８以外のモータによって駆動伝達されてもよい。駆動伝達機構２７は、複数のギヤが噛合されている形態に限らず、例えば支軸２８と給送ローラ２５の軸とに架け渡されたベルトであってもよい。
【００３６】
［搬送路６５］
図２に示されるように、給送トレイ２０の後端部から搬送路６５が延出されている。搬送路６５は、湾曲部分３３及び延出部分３４を有する。湾曲部分３３は、給送トレイ２０の後端部から上方且つ前方へ湾曲しつつ延びている。延出部分３４は、湾曲部分３３の上端と連続しており前後方向８に延びている。
【００３７】
湾曲部分３３は、所定間隔を隔てて互いに対向する外側ガイド部材１８（本発明のガイド部材の一例）、ローラホルダ８５、及び傾斜板２３と、内側ガイド部材１９とによって規定されている。延出部分３４は、ローラホルダ８５、記録部２４、及び上側ガイド部材３１と、内側ガイド部材１９及びプラテン４２とによって規定されている。換言すれば、ローラホルダ８５は、湾曲部分３３及び延出部分３４の少なくとも一部を規定している。
なお、ローラホルダ８５は、湾曲部分３３または延出部分３４の一方のみの少なくとも一部を規定していてもよい。
【００３８】
給送トレイ２０に支持された記録用紙は、給送ローラ２５によって、給送トレイ２０の傾斜板２３へ給送される。傾斜板２３によって、記録用紙の進行向きが変化されて記録用紙は湾曲部分３３へ進入する。湾曲部分へ進入した記録用紙は、湾曲部分３３を下方から上方へＵターンするように搬送されて搬送ローラ対５９に到達する。搬送ローラ対５９に挟持された記録用紙は、延出部分３４を記録部２４へ向けて前後方向８に搬送される。記録部２４の直下に到達した記録用紙は、記録部２４により画像を記録される。画像記録が行われた記録用紙は、延出部分３４を前後方向８に搬送されて排出トレイ２１に排出される。以上より、記録用紙は、図２に一点鎖線の矢印で示される搬送向き１５に沿って搬送される。
【００３９】
［記録部２４］
図２に示されるように、記録部２４は、延出部分３４の上方に設けられている。記録部２４の下方且つ記録部２４と対向する位置には、プラテン４２が設けられている。プラテン４２は、その上面から上方へ立設され且つ前後方向８に延設されたリブ４３を備えている。リブ４３は、左右方向９に間隔を空けて複数配置されている。リブ４３は、搬送路６５の延出部分３４を搬送される記録用紙を支持する。
【００４０】
記録部２４は、キャリッジ４０と記録ヘッド３８とを備えている。キャリッジ４０は、ガイドレール５６、５７によって左右方向９へ往復移動可能に支持されている。キャリッジ４０の後端部４０Ａは、ガイドレール５６の上面９９（本発明の第１当接面の一例）と当接している。キャリッジ４０の前端部４０Ｂは、ガイドレール５７の上面１００と当接している。
【００４１】
記録ヘッド３８は、キャリッジ４０に搭載されている。記録ヘッド３８には、インクカートリッジ（不図示）からインクが供給される。記録ヘッド３８の下面３２には、複数のノズル（不図示）が形成されている。キャリッジ４０が左右方向９に移動しているときに、記録ヘッド３８は、ノズルからインク滴をプラテン４２に向けて吐出する。これにより、延出部分３４に沿って搬送される過程でプラテン４２に支持されている記録用紙に画像が記録される。
【００４２】
［当接部材４１］
図２及び図３に示されるように、搬送路６５において記録部２４よりも搬送向き１５の上流側に、当接部材４１が配置されている。当接部材４１は、左右方向９において、間隔を空けて複数配置されている。各当接部材４１は、隣り合うリブ４３の間に配置されている。当接部材４１の基端部４５は、搬送ローラ対５９の後方に位置しており、ローラホルダ８５に支持されている。当接部材４１は、基端部４５から下方且つ前方に湾曲しつつ延びている。
【００４３】
当接部材４１は、搬送向き１５において、ノズル及び搬送ローラ対５９の間まで延びている。当接部材４１の先端部４６は、リブ４３の上端よりも下方に位置している。先端部４６は、延出部分３４を搬送される記録用紙の上面と当接する。記録用紙は、上方から先端部４６に当接され且つ下方からリブ４３に当接されることによって、左右方向９に連続する波形状にされる。
【００４４】
［搬送ローラ対５９及び排出ローラ対４４］
図２及び図３に示されるように、延出部分３４における記録部２４よりも搬送向き１５の上流側には、搬送ローラ対５９が配置されている。延出部分３４における記録部２４よりも搬送向き１５の下流側には、排出ローラ対４４が配置されている。
【００４５】
搬送ローラ対５９は、延出部分３４の下方に配置された搬送ローラ６０（本発明の第１ローラの一例）と、延出部分３４の上方に搬送ローラ６０と対向して配置されたピンチローラ６１（本発明の第２ローラの一例）とを備えている。搬送ローラ６０は、左右方向９を軸方向として回転する。ピンチローラ６１は、左右方向９に間隔を空けて複数設けられている。各ピンチローラ６１は、左右方向９を軸方向として回転する。各ピンチローラ６１は、コイルばね７３によって搬送ローラ６０に押圧されている。
【００４６】
搬送ローラ６０は、一対のサイドフレーム５５（図７参照）によって回転可能に支持されている。ピンチローラ６１は、ローラホルダ８５に回転可能に支持されている。
【００４７】
排出ローラ対４４は、延出部分３４の下方に配置された排出ローラ６２と、延出部分３４の上方に排出ローラ６２と対向して配置された拍車ローラ６３とを備えている。排出ローラ６２及び拍車ローラ６３は、左右方向９を軸方向として回転する。拍車ローラ６３は、弾性部材（不図示）によって排出ローラ６２に押圧されている。排出ローラ６２は、一対のサイドフレーム５５（図７参照）によって回転可能に支持されている。拍車ローラ６３は、上側ガイド部材３１に回転可能に支持されている。
【００４８】
搬送ローラ６０及び排出ローラ６２は、モータ７８（図７参照）から駆動力が伝達されて回転する。搬送ローラ対５９に記録用紙が挟持されている状態で搬送ローラ６０が回転すると、当該記録用紙は、搬送ローラ対５９によってプラテン４２上へ向けて搬送向き１５に搬送される。また、排出ローラ対４４に記録用紙が挟持されている状態で排出ローラ６２が回転すると、当該記録用紙は、排出ローラ対４４によって排出トレイ２１上へ向けて搬送向き１５に搬送される。なお、搬送ローラ６０及び排出ローラ６２は、モータ７８以外のモータによって駆動伝達されてもよい。
【００４９】
［ガイドレール５６、５７］
図２に示されるガイドレール５６、５７は、前後方向８及び左右方向９に拡がる概ね板状の部材である。図２、図３、及び図７に示されるように、ガイドレール５６は、後端部において上向きに屈曲した後屈曲部５３を備えている。図２に示されるように、ガイドレール５６、５７は、ガイドレール５６を後側且つガイドレール５７を前側として配置されている。キャリッジ４０は、ガイドレール５６、５７を跨ぐようにして配置されている。
【００５０】
ガイドレール５７の上面には、公知のベルト機構（不図示）が配置されている。ベルト機構は、ガイドレール５７の左右両端部に配置されたプーリと、当該プーリに架け渡されたベルトとを備えている。ベルトは、キャリッジ４０とキャリッジ４０に駆動力を付与するキャリッジ駆動用モータ（不図示）とに連結されている。キャリッジ駆動用モータが駆動すると、左右方向９への駆動力がベルト機構を介してキャリッジ４０に伝達される。これにより、キャリッジ４０は、左右方向９へ往復移動する。
【００５１】
［ガイド部材３０］
図２に示されるように、記録部２４よりも搬送向き１５の上流側に、ガイド部材３０が配置されている。ガイド部材３０は、外側ガイド部材１８とローラホルダ８５とを備えている。外側ガイド部材１８が、搬送向き１５の上流側に設けられ且つ左右方向９に延びた軸９０を中心として、矢印９１の方向に回動可能に、ベースフレーム８３（図７参照）によって支持されている。これにより、ガイド部材３０は、搬送向き１５の上流側を軸とし且つ搬送向き１５の下流側を回動先端側として回動する。
【００５２】
外側ガイド部材１８は、ガイド部材３０の軸９０側（湾曲部分３３における搬送向き１５の上流側）に設けられている。ローラホルダ８５は、ガイド部材３０の回動先端側（湾曲部分３３における搬送向き１５の下流側）に設けられている。
【００５３】
湾曲部分３３の外側は、外側ガイド部材１８とローラホルダ８５と傾斜板２３とによって規定されている。なお、湾曲部分３３の外側は、外側ガイド部材１８及びローラホルダ８５のみによって規定されていてもよい。以上より、ガイド部材３０は、湾曲部分３３の外側の少なくとも一部を規定している。
【００５４】
［外側ガイド部材１８］
図２に示されるように、外側ガイド部材１８は、軸９０を中心として、矢印９１の方向に回動可能である。軸９０は、筐体１４の下側（底部側）の位置において、外側ガイド部材１８の左右方向９の両端から外部へ向かって突出されている。軸９０が筐体１４の軸受け（不図示）に支持されることによって、外側ガイド部材１８が筐体１４に回動可能に支持されている。なお、図７において、外側ガイド部材１８の回動先端側の図示は、省略されている。
【００５５】
外側ガイド部材１８は、筐体１４の後面の一部を構成する側壁９２と、側壁９２の前方に配置され且つ側壁９２に支持されたガイド部９３とを備えている。ガイド部９３は、湾曲部分３３側が湾曲した板形状の部材である。
【００５６】
外側ガイド部材１８は、図２に示される第１位置と図６に示される第２位置との間で回動する。外側ガイド部材１８が第１位置にあるとき、ガイド部９３は湾曲部分３３の外側を規定する。一方、外側ガイド部材１８は第２位置にあるときに湾曲部分３３を開放する。複合機１０のユーザは、外側ガイド部材１８を第１位置から第２位置に回動させることにより、湾曲部分３３に詰まった記録用紙を取り出すことができる。
【００５７】
外側ガイド部材１８の回動先端部には、凸部７０が形成されている。凸部７０は、外側ガイド部材１８の左端部及び右端部に形成されている。外側ガイド部材１８が第１位置のとき、凸部７０は前向きに突出している。このとき、凸部７０は、ガイドレール５６の後屈曲部５３と当接している。これにより、外側ガイド部材１８の前後方向８における位置が、第１位置に位置決めされる。
【００５８】
［ローラホルダ８５］
図２及び図３に示されるように、ローラホルダ８５は、ガイドレール５６の下方に配置されている。ローラホルダ８５は、左右方向９に長い部材である。ローラホルダ８５は、その前側において、ピンチローラ６１の各々を回転可能に支持している。
【００５９】
ローラホルダ８５の後端部には、左右方向９に延びた軸９４が設けられている。軸９４が外側ガイド部材１８に支持されることによって、ローラホルダ８５が外側ガイド部材１８と連結されている。ローラホルダ８５は、筐体１４に対して、外側ガイド部材１８と一体に矢印９１の方向に回動可能である。また、図６に示されるように、ローラホルダ８５は、外側ガイド部材１８に対して、軸９４を中心として矢印９５の方向に回動可能である。但し、ローラホルダ８５の前端がガイドレール５６の後端よりも前方に位置するとき（例えば外側ガイド部材１８が第１位置にあるとき）、ローラホルダ８５の回動は、ガイドレール５６によって規制される。
【００６０】
ローラホルダ８５は、図２に示される第３位置と図６に実線で示される第４位置との間で回動する。
【００６１】
図２及び図３に示されるように、外側ガイド部材１８が第１位置にあるとき、ローラホルダ８５は第３位置にある。ローラホルダ８５が第３位置にあるとき、ローラホルダ８５の下面９６の後側は湾曲部分３３の外側を規定し、ローラホルダ８５の下面９６の前側は延出部分３４の上側を規定する。ローラホルダ８５が第３位置にあるとき、各ピンチローラ６１は、搬送ローラ６０と対向しており、上方から搬送ローラ６０と当接している。
【００６２】
ピンチローラ６１と搬送ローラ６０とが当接している状態において、ピンチローラ６１の軸線８１（ピンチローラ６１の中心を通る左右方向９に延びた線、図３参照）は、搬送ローラ６０の軸線８０（搬送ローラ６０の中心を通る左右方向９に延びた線、図３参照）よりも前方に位置する。これにより、搬送ローラ対５９によって挟持された記録用紙は、前方斜め下方に搬送され、プラテン４２に押しつけられる。その結果、プラテン４２に支持された記録用紙と記録ヘッド３８との間隔を一定に維持可能である。
【００６３】
図６に示されるように、外側ガイド部材１８が第２位置にあるとき、ローラホルダ８５は、破線で示される位置（以下、第５位置とも記す。）と実線で示される第４位置との間で回動可能である。ローラホルダ８５が第５位置のときの外側ガイド部材１８に対する相対的な位置は、ローラホルダ８５が第３位置のときの外側ガイド部材１８に対する相対的な位置（図６に一点鎖線で示される位置）よりも若干前方である。なお、ローラホルダ８５は、外側ガイド部材１８に設けられたストッパ（不図示）によって、第５位置よりも前方への回動を規制されている。ローラホルダ８５は、第３位置または第５位置から、矢印９７の向きへ回動することにより、第２位置の外側ガイド部材１８よりも後方に位置する。このときのローラホルダ８５が第４位置である。図６に示されるように、第４位置のローラホルダ８５は、外側ガイド部材１８が矢印９７の方向へ回動したときの回動軌跡８８（軸９０を中心とする円弧）に対して当該円弧の径方向の外側へ向かって延出している。
【００６４】
［コイルばね７３及び係合部材７４］
図２及び図３に示されるように、ローラホルダ８５に、コイルばね７３及び係合部材７４が設けられている。コイルばね７３及び係合部材７４は、左右方向９に間隔を空けて複数設けられている。各コイルばね７３は、ローラホルダ８５に支持されており、各係合部材７４は、コイルばね７３に支持されている。これにより、コイルばね７３は、ローラホルダ８５と係合部材７４との間に介設されている。
【００６５】
コイルばね７３の下端部は、ローラホルダ８５と当接し、コイルばね７３の上端部は、係合部材７４と当接している。係合部材７４の下面が、コイルばね７３の上端部と当接している。係合部材７４の上面は、ガイドレール５６の下面９８と当接している。係合部材７４の上面には、突起７５が形成されている。一方、ガイドレール５６における各係合部材７４に対応する位置には、開口７６が形成されている。開口７６は、上下方向７に貫通された構成でなくてもよい。例えば、開口７６は、下面９８から上面９９へ向けて凹む凹部でもよい。
【００６６】
係合部材７４は、コイルばね７３を介してローラホルダ８５によって移動可能に支持されている。詳細には、係合部材７４は、コイルばね７３が伸長及び収縮することによって、図２に示される係合位置と、当該係合位置よりも下方に位置した図４に示される退避位置とに移動可能である。
【００６７】
外側ガイド部材１８が第１位置且つローラホルダ８５が第３位置のとき、突起７５は、コイルばね７３に上向きに付勢されることによって、開口７６に挿入されて係合位置に移動する。これにより、係合部材７４とガイドレール５６とが係合される。このとき、各コイルばね７３は、自然長よりも短く縮んだ状態である。これにより、コイルばね７３は、各ピンチローラ６１を搬送ローラ６０側へ付勢する。その結果、各ピンチローラ６１は、搬送ローラ６０へ押圧される。後述するように、外側ガイド部材１８が第１位置から第２位置へ向けて矢印９７の向きに移動すると、突起７５が開口７６から抜ける。これにより、係合部材７４は、退避位置に移動する。
【００６８】
なお、本実施形態では、突起７５を上向きに付勢する付勢部材と、ピンチローラ６１を搬送ローラ６０側へ付勢する付勢部材とは、共にコイルばね７３であった。しかし、突起７５を上向きに付勢する付勢部材と、ピンチローラ６１を搬送ローラ６０側へ付勢する付勢部材とは、異なる部材であってもよい。
【００６９】
［ガイド部材３０の回動動作］
以下、ガイド部材３０の回動動作が説明される。図２及び図３に示されるように、外側ガイド部材１８が第１位置のとき、ローラホルダ８５は第３位置である。
【００７０】
外側ガイド部材１８が第１位置のとき、凸部７０がガイドレール５６の後屈曲部５３と当接している。
【００７１】
ローラホルダ８５が第３位置のとき、係合部材７４は、ガイドレール５６の開口７６に挿入されており、係合位置である。これにより、ローラホルダ８５は第３位置に位置決めされる。なお、開口７６に挿入された係合部材７４は、図３に示されるように、開口７６の前側面８９と当接している。
【００７２】
ローラホルダ８５が第３位置にあるときに、当接部材４１の先端部４６は、搬送ローラ対５９による記録用紙の挟持位置よりも下方にある。ローラホルダ８５が第３位置にあるときに、各ピンチローラ６１は、コイルばね７３の付勢力によって搬送ローラ６０と当接している。
【００７３】
外側ガイド部材１８が第１位置から第２位置へ向けて矢印９１の方向に回動されると、ローラホルダ８５は外側ガイド部材１８と一体に後方へ向けて回動する。すると、係合部材７４の突起７５が開口７６の後側面１７と当接して押圧する。これにより、突起７５は、後側面１７から反作用の力を受ける。当該反作用の力によって、コイルばね７３が縮む。これにより、係合部材７４が下方へ移動する。その結果、図４に示されるように、突起７５が開口７６から抜け、係合部材７４とガイドレール５６との係合が解除される。
【００７４】
外側ガイド部材１８が更に第２位置へ向けて回動されると、突起７５は、コイルばね７３の付勢力によってガイドレール５６の下面９８（本発明の第２当接面の一例）に当接した状態のまま、当該下面９８に沿って後方へ移動する。このとき、係合部材７４は、係合位置よりも下方の退避位置にある。突起７５が下面９８よりも後方へ移動すると、縮んでいたコイルばね７３が自然長に戻る。
【００７５】
図４に示される状態において、ローラホルダ８５の下面９６は、内側ガイド部材１９に支持された状態である。ローラホルダ８５は、内側ガイド部材１９の延出部分３４側の面に沿って後方へ案内される。当接部材４１及びピンチローラ６１も、ローラホルダ８５と一体に後方へ案内される。これにより、ピンチローラ６１は搬送ローラ６０から離間する。
【００７６】
後方へ案内されたローラホルダ８５の下面９６は、内側ガイド部材１９の延出部分３４側の面から離間して、内側ガイド部材１９の湾曲部分３３側の面に支持された状態となる。ここで、内側ガイド部材１９の湾曲部分３３側の面は、後方斜め下へ向けて湾曲している。よって、ローラホルダ８５は、後方へ案内される程、自重によって下方へ向けて回動する。当該回動は、上述したストッパによって規制される。これにより、ローラホルダ８５は、所定位置よりも後方へ移動すると、内側ガイド部材１９から離間する（図５参照）。
【００７７】
外側ガイド部材１８は、更に第２位置へ向けて回動されることによって第２位置へ到達する（図６参照）。このとき、ローラホルダ８５は図６に破線で示される第５位置であり、ピンチローラ６１は搬送ローラ６０から離間した状態であり、当接部材４１は搬送路６５から離間した状態である。この状態において、ローラホルダ８５は、図６に実線で示される第４位置へ向けて矢印９７の向きへ回動可能である。
【００７８】
外側ガイド部材１８が第２位置であり且つローラホルダ８５が第４位置の状態（図６参照）から、外側ガイド部材１８が第１位置へ回動される場合、最初に、ローラホルダ８５が第４位置から第５位置へ向けて矢印９７と逆向きに回動される。
【００７９】
次に、外側ガイド部材１８が第１位置へ向けて矢印９１の方向に回動されると、突起７５がガイドレール５６の後屈曲部５３に当接して押圧する。これにより、突起７５は、後屈曲部５３から反作用の力を受ける。当該反作用の力によって、コイルばね７３が縮む。
これにより、係合部材７４が下方に移動して、突起７５がガイドレール５６の下面９８と当接する（図５参照）。その結果、係合部材７４は、ガイドレール５６と内側ガイド部材１９の間から筐体１４の内部へ進入する。このとき、係合部材７４は、退避位置である。
【００８０】
ローラホルダ８５の下面９６は、上記の所定位置よりも前方へ移動すると、内側ガイド部材１９と当接する。以後、ローラホルダ８５は、内側ガイド部材１９の搬送路６５側の面に沿って案内される（図４参照）。
【００８１】
外側ガイド部材１８が第１位置へ向けて更に矢印９１の方向に回動されると、図２に示されるように、凸部７０がガイドレール５６の後屈曲部５３と当接して、第１位置に到達する。このとき、突起７５がガイドレール５６の開口７６に挿入されて、係合部材７４が係合位置となり、ローラホルダ８５が第３位置となる。ローラホルダ８５が第３位置のとき、ピンチローラ６１は搬送ローラ６０と当接しており、当接部材４１は、搬送向き１５へ搬送される記録用紙に上方から当接可能である。
【００８２】
図３に示されるように、外側ガイド部材１８が第１位置にあるとき、ピンチローラ６１の軸線８１は、搬送ローラ６０の軸線８０より搬送向き１５の下流側に位置している。
【００８３】
［実施形態の効果］
本実施形態によれば、外側ガイド部材１８が第２位置であるときに、搬送路６５が開放されると共に、ピンチローラ６１が搬送ローラ６０から離間される。外側ガイド部材１８が第１位置であるときに、係合部材７４がガイドレール５６と係合してローラホルダ８５が第３位置に位置決めされる。ローラホルダ８５が第３位置であるときに、ピンチローラ６１はコイルばね７３に付勢されて搬送ローラ６０と当接する。以上より、本実施形態によれば、外側ガイド部材１８の開放に連動して搬送ローラ６０とピンチローラ６１とが離間され、かつ外側ガイド部材１８が閉じられたときにピンチローラ６１が搬送ローラ６０に対して正確に位置決めされる。
【００８４】
また、本実施形態によれば、ガイドレール５６が記録部２４を支持するため、記録部２４に対して搬送ローラ６０とピンチローラ６１との記録用紙の挟持位置を正確に位置決めできる。
【００８５】
また、本実施形態によれば、搬送ローラ６０がサイドフレーム５５に支持されているため、搬送ローラ６０とピンチローラ６１との相対的な位置関係が一層正確となる。
【００８６】
また、本実施形態によれば、外側ガイド部材１８が第２位置に回動可能であるため、ローラホルダ８５が第４位置であるときに、外側ガイド部材１８が開放する搬送路６５へのアクセス経路が広くなる。
【００８７】
また、本実施形態によれば、外側ガイド部材１８は第１位置のときにガイドレール５６に当接するため、外側ガイド部材１８が第１位置に正確に位置決めされる。
【００８８】
また、本実施形態によれば、ピンチローラ６１の軸線８１は、外側ガイド部材１８が第１位置にあるときに、搬送ローラ６０の軸線８０より前方に位置するため、外側ガイド部材１８を第１位置に位置決めさせ且つローラホルダ８５を第３位置に位置決めさせる付勢力を発生させることができる。
【００８９】
［変形例］
上述の実施形態では、搬送ローラ対５９において、搬送ローラ６０が下側に設けられ、ピンチローラ６１が上側に設けられていたが、搬送ローラ６０が上側に設けられ、ピンチローラ６１が下側に設けられていてもよい。この場合、係合部材７４は、筐体１４内に設けられたガイドレール５６とは別のフレーム（不図示）と係合するように構成される。
【００９０】
上述の実施形態では、ローラホルダ８５が、外側ガイド部材１８と連結されていたが、ローラホルダ８５は、外側ガイド部材１８と連結されていなくてもよい。この場合、ローラホルダ８５は、後側において筐体１４内に設けられた他の部材（例えばガイドレール５６）によって矢印９５の方向に回動可能且つ着脱可能に支持されている。
【符号の説明】
【００９１】
１０・・・複合機
１１・・・プリンタ部
１４・・・筐体
１８・・・外側ガイド部材（ガイド部材）
２４・・・記録部
５６・・・ガイドレール
６０・・・搬送ローラ（第１ローラ）
６１・・・ピンチローラ（第２ローラ）
６５・・・搬送路
７３・・・コイルばね（付勢部材）
７４・・・係合部材
８５・・・ローラホルダ
【図１】
2020168872.tif 000003
【図２】
2020168872.tif 000004
【図３】
2020168872.tif 000005
【図４】
2020168872.tif 000006
【図５】
2020168872.tif 000007
【図６】
2020168872.tif 000008
【図７】
2020168872.tif 000009